(57)【要約】【課題】現用系セル処理手段に異常が発生した時にセルのロスが発生する可能性を少なくすることができるセル処理装置及び方法を提供すること。【解決手段】本発明のセル処理装置１００は、セル処理部１３０を現用系としセル処理部１４０を予備系とした時に、現用系のセル処理部１３０が受信したＡＴＭセルを対向通信装置１９０に出力すると共に予備系のセル処理部１４０に与え、予備系のセル処理部１４０が、セル処理部１１０から受けて保持しているＡＴＭセルと現用系のセル処理部１３０からの前記ＡＴＭセルとが一致する時にのみ保持している前記ＡＴＭセルを廃棄し、かつ、所定の切替指示により現用系のセル処理部になった時に保持している前記ＡＴＭセルを出力する。【選択図】　　　図１
2004096337.tif 000002
【特許請求の範囲】
【請求項１】
入力されるＡＴＭセルを一時的に保持すると共に保持した順に前記ＡＴＭセルを出力する２つのセル処理手段を具備し、所定の切替指示に応じて前記２つのセル処理手段の一方を現用系セル処理手段とし前記２つのセル処理手段の他方を予備系セル処理手段とするように切り替えるセル処理装置において、前記現用系セル処理手段は前記ＡＴＭセルを対向通信装置に出力すると共に前記予備系セル処理手段に与え、前記予備系セル処理手段は、保持している前記ＡＴＭセルと前記現用系セル処理手段からの前記ＡＴＭセルとが一致する時にのみ保持している前記ＡＴＭセルを廃棄し、かつ、所定の切替指示により現用系セル処理手段になった時に保持している前記ＡＴＭセルを出力することを特徴とするセル処理装置。
【請求項２】
前記現用系セル処理手段は、保持した前記ＡＴＭセルが一定値以上となった時に予備系セル処理手段に切り替えられることを特徴とする請求項１に記載のセル処理装置。
【請求項３】
入力されるＡＴＭセルを一時的に保持すると共に保持した順に前記ＡＴＭセルを出力する２つのセル処理手段を具備し、所定の切替指示に応じて前記２つのセル処理手段の一方を現用系セル処理手段とし前記２つのセル処理手段の他方を予備系セル処理手段とするように切り替えるセル処理装置において、前記現用系セル処理手段が前記ＡＴＭセルを対向通信装置に出力すると共に前記予備系セル処理手段に与えるステップと、前記予備系セル処理手段が保持している前記ＡＴＭセルと前記現用系セル処理手段からの前記ＡＴＭセルとが一致する時にのみ保持している前記ＡＴＭセルを廃棄するステップと、所定の切替指示により前記予備系セル処理手段が現用系セル処理手段になった時に保持している前記ＡＴＭセルを出力するステップと、を具備することを特徴とするセル処理方法。
【発明の詳細な説明】
【０００１】
【発明の属する技術分野】
本発明は、ＡＴＭセル処理を行う現用系セル処理部と予備系セル処理部を具備し、所定の切替指示に応じて切替制御を行うセル処理装置及び方法に関するものである。
【０００２】
【従来の技術】
従来、この種のセル処理装置として、特開平０９−２９８５４７号公報に記載されたものがある。このセル処理装置は、入力されたＡＴＭセルを一時的に蓄積するとともに蓄積された順にＡＴＭセルを出力する２つのセルバッファを二重化構成として有し、所定の切替指示に応じて現用系セルバッファから予備系セルバッファへの切り替え制御を行う方式において、現用系セルバッファのセル蓄積量が所定しきい値を超えた時に両方のセルバッファに対して所定セルを出力する第１の制御手段と、現用系及び予備系セルバッファに入力されるセルが所定セルであった時には、これらのセルバッファに所定セルの書き込みを行わないとともに、これらのセルバッファのうち予備系セルバッファのセル蓄積量が所定範囲内にあるか否かを判定し、前記セル蓄積量が所定範囲内にない時には、前記セル蓄積量を所定範囲内の値に設定する第２の制御手段とを備えている。
【０００３】
【発明が解決しようとする課題】
しかし、従来のセル処理装置においては、セルバッファの切替をセルバッファに蓄積されたセル量で判断するため、現用系セルバッファ及び予備系セルバッファがそれぞれ異なるセルを同数だけ損失した時には、セルのロスを防止することができないという問題がある。また、従来のセル処理装置においては、バックプレッシャー信号の異常の時には、所定セルを受信し続けてセルが受信できない状態が継続し、また、所定セルが送信されないために受信側でバッファフルを起こす可能性があるという問題がある。
【０００４】
本発明は、かかる点に鑑みてなされたものであり、現用系セル処理手段に異常が発生した時にセルのロスが発生する可能性を少なくすることができるセル処理装置及び方法を提供することを目的とする。
【０００５】
【課題を解決するための手段】
本発明のセル処理装置は、入力されるＡＴＭセルを一時的に保持すると共に保持した順に前記ＡＴＭセルを出力する２つのセル処理手段を具備し、所定の切替指示に応じて前記２つのセル処理手段の一方を現用系セル処理手段とし前記２つのセル処理手段の他方を予備系セル処理手段とするように切り替えるセル処理装置において、前記現用系セル処理手段が前記ＡＴＭセルを対向通信装置に出力すると共に前記予備系セル処理手段に与え、前記予備系セル処理手段が、保持している前記ＡＴＭセルと前記現用系セル処理手段からの前記ＡＴＭセルとが一致する時にのみ保持している前記ＡＴＭセルを廃棄し、かつ、所定の切替指示により現用系セル処理手段になった時に保持している前記ＡＴＭセルを出力する構成を採る。
【０００６】
この構成によれば、現用系セル処理手段が損失したＡＴＭセルを予備系セル処理手段が保持するため、現用系セル処理手段に異常が発生した時に予備系セル処理手段が保持していたセルを出力するから、セルのロスが発生する可能性を少なくすることができる。
【０００７】
本発明のセル処理装置は、前記構成において、前記現用系セル処理手段が、保持した前記ＡＴＭセルが一定値以上となった時に予備系セル処理手段に切り替えられる構成を採る。
【０００８】
この構成によれば、前記効果に加えて、現用系セル処理手段が、保持したＡＴＭセルが一定値以上となった時に予備系セル処理手段に切り替えられるから、セルのロスが発生する可能性をさらに少なくすることができる。
【０００９】
本発明のセル処理方法は、入力されるＡＴＭセルを一時的に保持すると共に保持した順に前記ＡＴＭセルを出力する２つのセル処理手段を具備し、所定の切替指示に応じて前記２つのセル処理手段の一方を現用系セル処理手段とし前記２つのセル処理手段の他方を予備系セル処理手段とするように切り替えるセル処理装置において、前記現用系セル処理手段が前記ＡＴＭセルを対向通信装置に出力すると共に前記予備系セル処理手段に与えるステップと、前記予備系セル処理手段が保持している前記ＡＴＭセルと前記現用系セル処理手段からの前記ＡＴＭセルとが一致する時にのみ保持している前記ＡＴＭセルを廃棄するステップと、所定の切替指示により前記予備系セル処理手段が現用系セル処理手段になった時に保持している前記ＡＴＭセルを出力するステップと、を具備するようにした。
【００１０】
この方法によれば、現用系セル処理手段が損失したＡＴＭセルを予備系セル処理手段が保持するため、現用系セル処理手段に異常が発生した時に予備系セル処理手段が保持していたセルを出力するから、セルのロスが発生する可能性を少なくすることができる。
【００１１】
【発明実施の形態】
本発明の骨子は、現用系セル処理手段がＡＴＭセルを対向通信装置に出力すると共に予備系セル処理手段に与え、前記予備系セル処理手段が、保持している前記ＡＴＭセルと前記現用系セル処理手段からの前記ＡＴＭセルとが一致する時にのみ保持している前記ＡＴＭセルを廃棄し、かつ、所定の切替指示により現用系セル処理手段になった時に保持している前記ＡＴＭセルを出力することである。
【００１２】
以下、本発明の実施の形態について、図面を参照して詳細に説明する。
【００１３】
図１は、本発明の一実施の形態に係るセル処理装置の構成を示すブロック図である。
【００１４】
図１に示すように、本発明の一実施の形態に係るセル処理装置１００は、ＡＴＭセルを一時的に保持して処理し保持した順に出力する４つのセル処理部１１０、１２０、１３０、１４０を具備している。セル処理部１１０、１２０、１３０、１４０は、同一の構成要素を具備している。
【００１５】
セル処理部１１０は、ＢＵＳ側の第１のセル受信処理部１１０１、ＢＵＳ側の第１のセル送信処理部１１０２、ＨＷＹ（Ｈｉｇｈｗａｙ）側の第２のセル送信処理部１１０３、ＨＷＹ側の第２のセル受信処理部１１０４及び処理部１１０５を具備している。セル処理部１２０は、ＢＵＳ側の第１のセル受信処理部１２０１、ＢＵＳ側の第１のセル送信処理部１２０２、ＨＷＹ側の第２のセル送信処理部１２０３、ＨＷＹ側の第２のセル受信処理部１２０４及び処理部１２０５を具備している。
【００１６】
セル処理部１３０は、ＢＵＳ側の第１のセル受信処理部１３０１、ＢＵＳ側の第１のセル送信処理部１３０２、ＨＷＹ側の第２のセル送信処理部１３０３、ＨＷＹ側の第２のセル受信処理部１３０４及び処理部１３０５を具備している。セル処理部１４０は、ＢＵＳ側の第１のセル受信処理部１４０１、ＢＵＳ側の第１のセル送信処理部１４０２、ＨＷＹ側の第２のセル送信処理部１４０３、ＨＷＹ側の第２のセル受信処理部１４０４及び処理部１４０５を具備している。
【００１７】
第１のセル受信処理部１１０１の入力端子は、ＢＵＳ１５０に接続されている。第１のセル送信処理部１１０２の出力端子は、ＢＵＳ１５０に接続されている。第２のセル送信処理部１１０３の入力端子は、第１のセル受信処理部１１０１の出力端子に接続されている。第２のセル受信処理部１１０４の出力端子は、第１のセル送信処理部１１０２の入力端子に接続されている。処理部１１０５は、第１のセル受信処理部１１０１、第１のセル送信処理部１１０２、第２のセル送信処理部１１０３及び第２のセル受信処理部１１０４に接続されている。第２のセル送信処理部１１０３の出力端子は、第２のセル受信処理部１３０４、１４０４の入力端子にＨＷＹ１６１、１６２を介して接続されている。第２のセル受信処理部１１０４の入力端子は、第２のセル送信処理部１３０３、１４０３の出力端子にＨＷＹ１６３、１６４を介して接続されている。
【００１８】
第１のセル受信処理部１２０１の入力端子は、ＢＵＳ１５０に接続されている。第１のセル送信処理部１２０２の出力端子は、ＢＵＳ１５０に接続されている。第２のセル送信処理部１２０３の入力端子は、第１のセル受信処理部１２０１の出力端子に接続されている。第２のセル受信処理部１２０４の出力端子は、第１のセル送信処理部１２０２の入力端子に接続されている。処理部１２０５は、第１のセル受信処理部１２０１、第１のセル送信処理部１２０２、第２のセル送信処理部１２０３及び第２のセル受信処理部１２０４に接続されている。第２のセル送信処理部１２０３の出力端子は、第２のセル受信処理部１３０４、１４０４の入力端子にＨＷＹ１６５、１６６を介して接続されている。第２のセル受信処理部１２０４の入力端子は、第２のセル送信処理部１３０３、１４０３の出力端子にＨＷＹ１６７、１６８を介して接続されている。
【００１９】
第１のセル受信処理部１３０１の入力端子は、ＢＵＳ１７０に接続されている。第１のセル送信処理部１３０２の出力端子は、ＢＵＳ１７０に接続されている。第２のセル送信処理部１３０３の入力端子は、第１のセル受信処理部１３０１の出力端子に接続されている。第２のセル受信処理部１３０４の出力端子は、第１のセル送信処理部１３０２の入力端子に接続されている。処理部１３０５は、第１のセル受信処理部１３０１、第１のセル送信処理部１３０２、第２のセル送信処理部１３０３及び第２のセル受信処理部１３０４に接続されている。
【００２０】
第１のセル受信処理部１４０１の入力端子は、ＢＵＳ１７０に接続されている。第１のセル送信処理部１４０２の出力端子は、ＢＵＳ１７０に接続されている。第２のセル送信処理部１４０３の入力端子は、第１のセル受信処理部１４０１の出力端子に接続されている。第２のセル受信処理部１４０４の出力端子は、第１のセル送信処理部１４０２の入力端子に接続されている。処理部１４０５は、第１のセル受信処理部１４０１、第１のセル送信処理部１４０２、第２のセル送信処理部１４０３及び第２のセル受信処理部１４０４に接続されている。
【００２１】
ＢＵＳ１５０には、対向通信装置１８０が接続されている。また、ＢＵＳ１７０には、対向通信装置１９０が接続されている。セル処理装置１００は、ＢＵＳ１５０、１７０を介して対向通信装置１８０、１９０との間でＡＴＭセルの送受が可能である。
【００２２】
なお、第１のセル受信処理部１１０１〜１４０１、第２のセル受信処理部１１０４〜１４０４、第１のセル送信処理部１１０２〜１４０２及び第２のセル送信処理部１１０３〜１４０３の各々は、ＡＴＭセルを一時的に保持するセルバッファ及びこのセルバッファを制御するバッファ制御部を具備している。
【００２３】
次に、本発明の一実施の形態に係るセル処理装置１００の動作について、図１と共に図２及び図３を参照して詳細に説明する。
【００２４】
セル処理部１１０、１３０が現用系であり、セル処理部１２０、１４０が予備系であるとして説明を行う。現用系と予備系の切替は、所定の切替指示によって行うことが可能であるため、セル処理部１１０、１３０の一方が現用系とされ、セル処理部１１０、１３０の他方が予備系とされて処理が行われ、また、セル処理部１２０、１４０の一方が現用系とされ、セル処理部１２０、１４０の他方が予備系とされて処理が行われる。
【００２５】
まず、対向通信装置１８０からセル処理部１１０及びセル処理部１３０を介して対向通信装置１９０へＡＴＭセルを送信する時に限定して説明を行う。すなわち、セル処理部１１０及びセル処理部１３０を現用系とした時に限定して説明を行う。この経路の時のＡＴＭセルの処理と同じように、これ以外の経路の時のＡＴＭセルの処理が行われる。
【００２６】
現用系の第１のセル受信処理部１１０１は、対向通信装置１８０又はセル処理部１２０からＢＵＳ１５０を介してＡＴＭセルを受信する。第１のセル受信処理部１１０１は、ＡＴＭセルを受信した後にＡＴＭセルヘッダに基づいて、セル処理部１１０宛のＡＴＭセルの時には処理部１１０５へＡＴＭセルを送信し、セル処理部１３０、１４０及び対向通信装置１９０宛てのＡＴＭセルの時には第２のセル送信処理部１１０３へＡＴＭセルを送信し、かつ、その他のＡＴＭセルの時にはＡＴＭセルを廃棄する。
【００２７】
第２のセル送信処理部１１０３は、第１のセル受信処理部１１０１から受信したＡＴＭセルを第２のセル受信処理部１３０４、１４０４へ送信する。第２のセル受信処理部１３０４は、第２のセル送信処理部１１０３から受信したＡＴＭセルのＡＴＭセルヘッダに基づいて、セル処理部１３０宛のＡＴＭセルの時には処理部１３０５へＡＴＭセルを送信し、対向通信装置１９０宛てのＡＴＭセルの時には第１のセル送信処理部１３０２へＡＴＭセルを送信し、かつ、その他のＡＴＭセルの時にはＡＴＭセルを廃棄する。第１のセル送信処理部１３０２は、第１のセル受信処理部１３０１から受信したＡＴＭセルをＢＵＳ１７０を介して対向通信装置１９０に送信する。
【００２８】
また、この時に、第１のセル送信処理部１３０２は、受信したＡＴＭセルと同内容のペイロード部を有し、かつ、ＡＴＭヘッダをセル処理装置１４０宛てへ書き換えたＡＴＭセル（以後「Ｓセル」と呼ぶ）を生成してＢＵＳ１７０へ送信する。第１のセル受信処理部１４０１は、Ｓセルを受信した時に、このＳセルを中継して第２のセル受信処理部１４０４へ送信する。
【００２９】
第２のセル受信処理部１４０４は、第２のセル送信処理部１１０３から受信したＡＴＭセルをバッファに格納する。また、第２のセル受信処理部１４０４は、第１のセル受信処理部１４０１からＳセルを受信した時に、このＳセルのペイロード部とバッファ内のＡＴＭセルのペイロード部とが一致する否かを判断して一致した時にバッファ内から一致したＡＴＭセルを廃棄する。その後に、第２のセル受信処理部１４０４は、Ｓセルを廃棄する。
【００３０】
なお、処理部１１０５、１２０５、１３０５、１４０５の各々は、前記処理以外の処理を行う処理部である。処理部１１０５、１２０５、１３０５、１４０５の各々は、第１のセル受信処理部１１０１〜１４０１、第２のセル受信処理部１１０４〜１４０４からのＡＴＭセルを受信し、かつ、第１のセル送信処理部１１０２〜１４０２、第２のセル送信処理部１１０３〜１４０３へＡＴＭセルを送信する。
【００３１】
次に、本発明の第２のセル受信処理部１４０４の動作について、図１と共に図２及び図３を参照してより詳細に説明する。
【００３２】
図２に示すように、第２のセル受信処理部１４０４は、ＡＴＭセルを一時的に保持するセルバッファ２０１及びこのセルバッファ２０１を制御するバッファ制御部２０２を具備している。
【００３３】
まず、図２に示すように、第２のセル受信処理部１４０４のセルバッファ２０１に、第２のセル送信処理部１１０３からのＡＴＭセル２０３−１〜２０３−Ｎが順次に保持される。第２のセル受信処理部１４０４は、ＢＵＳ１７０を介してＳセル２０４を受信した時に、図３に示すフローの動作を実施する。
【００３４】
図３に示すように、ステップＳＴ３０１において、第１のセル受信処理部１４０１のバッファ制御部２０２は、セルバッファ２０１のＡＴＭセル２０３−ＭのＭを１とする。次に、ステップＳＴ３０２において、バッファ制御部２０２は、ＡＴＭセル２０３−ＭとＳセル２０４のペイロード部が一致するか否かを判断する。ステップＳＴ３０２において、ＡＴＭセル２０３−ＭとＳセル２０４のペイロード部が一致する時に、バッファ制御部２０２は、セルバッファ２０１からＡＴＭセル２０３−Ｍを廃棄し、その後にＳセル２０４を廃棄する（ステップＳＴ３０３）。
【００３５】
ステップＳＴ３０２においてＡＴＭセル２０３−ＭとＳセル２０４のペイロード部が一致しない時に、バッファ制御部２０２は、ＡＴＭセル２０３−ＭのＭを［Ｍ＋１］とする（ステップＳＴ３０４）。次に、バッファ制御部２０２は、Ｍ＝Ｎ＋１であるかを判断する（ステップＳＴ３０５）。ステップＳＴ３０５において、Ｍ＝Ｎ＋１でない時に、ステップＳＴ３０２に戻る。ステップＳＴ３０５において、Ｍ＝Ｎ＋１である時に、バッファ制御部２０２はＳセルを廃棄し（ステップＳＴ３０６）、動作を終了する。
【００３６】
また、第１のセル受信処理部１４０４は、セルバッファ２０１に保持（蓄積）したセル２０３−Ｎを、セル処理部１４０が所定の切替指示を受けて現用系となった時に、全てセル送信処理部１４０３に送る。これにより、セル処理部１３０及びＨＷＹ１６１で消失したアＴＭセルをＢＵＳ１７０に接続された対向通信装置１９０に送信することができる。
【００３７】
すなわち、現用系のセル処理部１３０はＡＴＭセルを対向通信装置１９０に出力すると共に予備系のセル処理１４０に与え、予備系のセル処理部１４０は、保持しているＡＴＭセルと現用系のセル処理部１３０からのＡＴＭセル（Ｓセル）とが一致する時にのみ保持しているＡＴＭセルを廃棄し、かつ、所定の切替指示により現用系のセル処理部になった時に保持しているＡＴＭセルを出力する。
【００３８】
また、セル処理部１４０は、セルバッファ２０１に保持したＡＴＭセルが一定値以上となった時に切替指示により現用系に切り替えられ、かつ、セル処理部１３０は切替指示により予備系に切り替えられる。これにより、セル処理装置１００は、セルのロスが多発しているＨＷＹ１６１を使用せず、より安定したＨＷＹ１６２を使用するから、対向通信装置１８０との通信を継続することが可能となる。
【００３９】
以上の説明においては、対向通信装置１８０又はセル処理部１１０からからセル処理部１３０又は対向通信装置１９０へＡＴＭセルを送信する時に限定して説明を行ったが、この経路の時のＡＴＭセルの処理と同じように、これ以外の経路の時のＡＴＭセルの処理が行われる。
【００４０】
次に、セル処理部１１０〜１４０の各部ごとの動作について説明する。
【００４１】
第１のセル受信処理部１１０１、１２０１、１３０１、１４０１は、自セル受信処理部とＨＷＹで接続された他のセル受信処理部宛てのＡＴＭセルを受信した時に、自セル受信処理部の第２のセル送信処理部１１０３、１２０３、１３０３、１４０３へＡＴＭセルを送信する。
【００４２】
また、第１のセル受信処理部１１０１、１２０１、１３０１、１４０１は、Ｓセルを受信した時に、自セル受信処理部の第２のセル受信処理部１１０４、１２０４、１３０４、１４０４へＳセルを送信する。第１のセル受信処理部１１０１、１２０１、１３０１、１４０１は、Ｓセル以外の自セル受信処理部宛てのＡＴＭセルを受信した時に、自セル受信処理部の処理部１１０５、１２０５、１３０５、１４０５へＡＴＭセルを送信する。第１のセル受信処理部１１０１、１２０１、１３０１、１４０１は、前記ＡＴＭセルに該当しないＡＴＭセルを受信した時には当該ＡＴＭセルを廃棄する。
【００４３】
第１のセル送信処理部１１０２、１２０２、１３０２、１４０２は、自セル処理部が現用系であり、かつ、自セル処理部とＨＷＹにより接続された現用系のセル処理部からＡＴＭセルを受信した時には、このＡＴＭセルが自セル処理部とＢＵＳにより接続されたセル処理部宛てのＡＴＭセルである時に自セル処理部のＢＵＳ側のセル送信処理部へＡＴＭセルを送信し、かつ、同ペイロード部を有するＡＴＭセルを自セル処理部とＢＵＳにより接続された予備系のセル処理部宛てへ書き換えたＳセルを生成してＡＴＭセル及びＳセルをＢＵＳに送信する。
【００４４】
第２のセル受信処理部１１０４、１２０４、１３０４、１４０４は、自セル処理部が予備系であり、かつ、自セル処理部とＨＷＹにより接続された現用系のセル処理部からＡＴＭセルを受信し、このＡＴＭセルが自セル処理部とＢＵＳにより接続されたセル処理部宛てのＡＴＭセルである時には、ＡＴＭセルをセルバッファに格納する。また、第２のセル受信処理部１１０４、１２０４、１３０４、１４０４は、自セル処理部のセル受信処理部からＡＴＭセルを受信した時に、このＡＴＭセルがＳセルである時にはこのＳセルをセルバッファ内に格納されているＡＴＭセルと比較してペイロード部の一致したものがあればセルバッファ内から該当するＡＴＭセルを廃棄し、その後にＳセルを無条件で廃棄する。また、第２のセル受信処理部１１０４、１２０４、１３０４、１４０４は、前記ＡＴＭセル以外のＡＴＭセルを受けた時には当該ＡＴＭセルを廃棄する。
【００４５】
第２のセル送信処理部１１０３、１２０３、１３０３、１３０４は、自セル処理部とＨＷＹにより接続されたセル処理部宛てのＡＴＭセルを受信した時に、自セル処理部とＨＷＹにより接続された現用系及び予備系のセル処理部に対してＡＴＭセルを送信する。また、第２のセル送信処理部１１０３、１２０３、１３０３、１３０４は、前記ＡＴＭセル以外のＡＴＭセルを受けた時には当該ＡＴＭセルを廃棄する。
【００４６】
【発明の効果】
以上説明したように、本発明によれば、現用系セル処理手段が損失したＡＴＭセルを予備系セル処理手段が保持するため、現用系セル処理手段に異常が発生した時に予備系セル処理手段が保持していたセルを出力するから、セルのロスが発生する可能性を少なくすることができる。
【図面の簡単な説明】
【図１】本発明の一実施の形態に係るセル処理装置の構成を示すブロック図
【図２】本発明の一実施の形態に係るセル処理装置のセル受信処理部の動作を説明するための図
【図３】本発明の一実施の形態に係るセル処理装置のセル受信処理部の動作を説明するためのフロー図
【符号の説明】
１００　セル処理装置
１１０、１２０、１３０、１４０　セル処理部
１１０１〜１４０１　第１のセル受信処理部
１１０２〜１４０２　第１のセル送信処理部
１１０３〜１４０３　第２のセル送信処理部
１１０４〜１４０４　第２のセル受信処理部
２０１　セルバッファ
２０２　バッファ制御部
【図１】
2004096337.tif 000003
【図２】
2004096337.tif 000004
【図３】
2004096337.tif 000005